(57)【要約】【課題】外壁面に施工する場合にパイプや配管の接続作業を容易に行なうことができる。【解決手段】コンセント１０は、水栓３０と水栓３０の入口部３２に接続されるパイプ６０の一部とを収容する。コンセント１０は、水栓３０及びパイプ６０の一部を収容するボックス４０であって、水栓３０の出口部３３への外部からの管接続を許容する挿入口４８と、ボックス４０の側壁４２に開口し、水栓３０の入口部３２へのパイプ６０の接続を許容する下側開口４５と、挿入口４８と向かい合う背面全体には開口部とを有しているボックス４０と、ボックス４０の背面に対して係合されるベースプレート２０であって、下側開口４５に対応する端には、水栓３０及びパイプ６０の一部から逃げるための逃がし部２６が切り欠かれているベースプレート２０と、を備えている。【選択図】図１
2020114987.tif 000002
【特許請求の範囲】
【請求項１】
外壁面に固定される水栓と、前記外壁面において当該外壁面に沿って配置されるとともに前記水栓の入口部に接続される配管の一部とを収容する水栓用コンセントであって、
前記外壁面に固定されるとともに前記水栓及び前記配管の一部を収容するボックスであって、前記水栓の出口部への外部からの管接続を許容する第１開口と、前記ボックスの側壁において前記外壁面に臨んで開口し、前記水栓の入口部への前記配管の接続を許容する第２開口と、前記第１開口に向かい合う第３開口とを有するボックスと、
前記外壁面に固定されるとともに、前記第３開口に対して係合されるベースプレートであって、前記第２開口に対応する端には、前記配管の前記一部から逃げるための逃がし部が切り欠かれているベースプレートと、
を備えている、
水栓用コンセント。
【発明の詳細な説明】
【技術分野】
【０００１】
本発明は、水栓と水栓の入口部に接続される配管の一部とを収容する水栓用コンセントに関する。
【背景技術】
【０００２】
この種の水栓用コンセントとしては例えば特許文献１に記載の管継手収容カバーがある。特許文献１（特に図１６〜図１８）では、建物の外壁面に管収容カバーの基台が固定されており、この基台には給水湯管を覆う蓋体が取り付けられている。
【先行技術文献】
【特許文献】
【０００３】
【特許文献１】特許第５７３４８１５号
【発明の概要】
【発明が解決しようとする課題】
【０００４】
本発明の目的は、外壁面に施工する場合にパイプや配管の接続作業を容易に行なうことのできる水栓用コンセントを提供することにある。
【課題を解決するための手段】
【０００５】
上記目的を達成するための水栓用コンセントは、外壁面に固定される水栓と、前記外壁面において当該外壁面に沿って配置されるとともに前記水栓の入口部に接続される配管の一部とを収容する構造であって、前記外壁面に固定されるとともに前記水栓及び前記配管の一部を収容するボックスであって、前記水栓の出口部への外部からの管接続を許容する第１開口と、前記ボックスの側壁において前記外壁面に臨んで開口し、前記水栓の入口部への前記配管の接続を許容する第２開口と、前記第１開口に向かい合う第３開口とを有するボックスと、前記外壁面に固定されるとともに、前記第３開口に対して係合されるベースプレートであって、前記第２開口に対応する端には、前記配管の前記一部から逃げるための逃がし部が切り欠かれているベースプレートと、を備えている。
【発明の効果】
【０００６】
本発明によれば、水栓の入口部に対してパイプや配管を接続する際の作業スペースを確保することができ、パイプや配管の接続作業を容易に行なうことができる。
【図面の簡単な説明】
【０００７】
【図１】水栓用コンセントの一実施形態について、第１実施例のアタッチメントを備えた水栓用コンセントの分解斜視図。
【図２】同実施例における水栓用コンセントを中心とした斜視図。
【図３】同実施例におけるベース部材の正面図。
【図４】同実施例におけるアタッチメント、配管カバー、及びボックス本体の分解斜視図。
【図５】同実施例における水栓用コンセントについて、（ａ）はカバープレートが取り外された状態の正面図、（ｂ）はベースプレートが取り外された状態の背面図。
【図６】第２実施例におけるアタッチメント、配管カバー、及びボックス本体の分解斜視図。
【図７】第３実施例におけるアタッチメント、配管、及びボックス本体の分解斜視図。
【図８】同実施例における水栓用コンセントについて、（ａ）はカバープレートが取り外された状態の正面図、（ｂ）はベースプレートが取り外された状態の背面図。
【発明を実施するための形態】
【０００８】
以下、図１〜図８を参照して、一実施形態について説明する。なお、本実施形態の水栓用コンセントは、床下から上方に向けて延びる給水用の配管に対応したものである。
＜第１実施例＞
図１〜図５を参照して、第１実施例の水栓用コンセント（以下、コンセント１０）について説明する。
【０００９】
＜配管カバー７０＞
図１、図２、図４、及び図５に示すように、第１実施例では、樹脂材料製の給水用のパイプ６０が角筒状の配管カバー７０により覆われており、パイプ６０と配管カバー７０とにより配管が構成されている。図４に示すように、配管カバー７０は、外壁面に固定されてパイプ６０を保持する保持部７１１が設けられたカバー基台７１と、カバー基台７１に対して着脱可能に設けられてパイプ６０及びカバー基台７１を覆う半割れ角筒状のカバー本体７２とを備えている。
【００１０】
図１に示すように、コンセント１０は、外壁面に固定されるベースプレート２０、ベースプレート２０の正面に固定される水栓３０、水栓３０及び水栓３０の入口部３２に接続されるパイプ６０の上端部を収容するボックス４０、及びボックス４０に対して着脱可能に設けられて配管カバー７０の上端部を覆うアタッチメント５０を備えている。
【００１１】
＜ベースプレート２０＞
図３に示すように、ベースプレート２０は、正面視略長方形状をなしており、その短手方向（以下、短手方向Ｘ）の中心位置を通ってその長手方向（以下、長手方向Ｙ）に沿って延びる第１中心線Ｃ１を中心に対称な形状を有している。
【００１２】
図１及び図３に示すように、ベースプレート２０の各角部には、正面側に向けて突出する突出部２１が設けられている。また、各突出部２１に近接した位置には、長手方向Ｙに沿って延びる長孔２２がそれぞれ形成されている。また、長手方向Ｙの一端側（同図の上側）に位置する２つの長孔２２の間にも上記長孔２２と同一形状の１つの長孔２２が形成されている。
【００１３】
長手方向Ｙの中心位置を通って短手方向Ｘに沿って延びる第２中心線Ｃ２上には、一対の円孔２３が互いに離間して形成されている。ベースプレート２０の正面における一対の円孔２３の間には、取付座２４が突設されている。取付座２４には、一対のねじ孔２５が短手方向Ｘに沿って互いに間隔をおいて形成されている。また、第１中心線Ｃ１と第２中心線Ｃ２とが交わる位置にも上記円孔２３と同一形状の１つの円孔２３が形成されている。
【００１４】
ベースプレート２０における長手方向Ｙの他端（同図の下端）には、短手方向Ｘの中央部が部分的に切り欠かれた逃がし部２６が形成されている。
ベースプレート２０の正面における第１中心線Ｃ１上には、長手方向Ｙに沿って延びる３つの突条２７ａ〜２７ｃが互いに間隔をおいて形成されている。このうち長手方向Ｙの最も一端側に位置する突条２７ａは、ベースプレート２０の一端まで延びている。また、長手方向Ｙの最も他端側に位置する突条２７ｃは、逃がし部２６の内縁まで延びている。
【００１５】
ベースプレート２０の短手方向Ｘの両端面における第２中心線Ｃ２と交わる位置には、切欠溝２８がそれぞれ形成されている。
ベースプレート２０における短手方向Ｘの両端部には、後述するボックス本体４１を嵌合して組み付ける４つの嵌合爪２９が正面側に向けて突設されている。
【００１６】
ベースプレート２０を外壁面に固定する際には、まず、外壁面に描かれた上下に延びる墨出し線にベースプレート２０の突条２７ａ，２７ｃを一致させるとともに、外壁面に描かれた左右に延びる墨出し線にベースプレート２０の切欠溝２８を一致させるようにしてベースプレート２０の位置及び姿勢を決める。そして、ベースプレート２０の５つの長孔２２のうちの少なくとも１つの長孔２２と、３つの円孔２３のうちの少なくとも１つの円孔２３とにそれぞれねじ（図示略）を挿通するとともに同ねじを外壁面に固定する。これにより、ベースプレート２０が外壁面に固定される。
【００１７】
＜水栓３０＞
図１に示すように、水栓３０は、ベースプレート２０の取付座２４に取り付けられる取付部３５と、取付部３５と一体に形成された水栓本体３１とを備えている。
【００１８】
取付部３５には、ベースプレート２０の一対のねじ孔２５にそれぞれ対応する一対の挿通孔３６が形成されている。
水栓本体３１は、パイプ６０の上端部が接続される入口部３２、カプラー９０が接続される出口部３３、及び水栓３０の開度を無段階で変更する回動式の開度変更部３４を備えている。なお、カプラー９０の先端部には、洗濯機の給水用のホース（図示略）が接続される。
【００１９】
水栓３０を外壁面に固定する際には、ベースプレート２０の取付座２４に取付部３５を当接させた状態で、一対の挿通孔３６及び一対のねじ孔２５にねじ３７（図５（ａ）参照）を挿入するとともに同ねじ３７を外壁面に固定する。これにより、水栓３０がベースプレート２０を介して外壁面に固定される。
【００２０】
＜ボックス４０＞
図１、及び図２に示すように、ボックス４０は、略直方体状のボックス本体４１と、ボックス本体４１の正面を覆うカバープレート４６とを備えている。
【００２１】
図１及び図４に示すように、ボックス本体４１は、側壁４２と前壁４３とからなり、ボックス本体４１の背面全体は開口部とされている。
側壁４２の背面側の内縁部には、ベースプレート２０の前記４つの嵌合爪２９がそれぞれ嵌合される４つの嵌合凹部４２１が形成されている。
【００２２】
ボックス本体４１の下側の側壁４２には、水栓３０の入口部３２へのパイプ６０の接続を許容する下側開口４５が背面側から凹設されている。下側開口４５の内周縁はＵ字状をなしている。
【００２３】
ボックス本体４１の前壁４３には正面視略長方形状の前側開口４４が形成されている。また、前壁４３には、後述するカバープレート４６が係合される複数の係合凹部４３１が周方向に間隔をおいて形成されている。
【００２４】
図１に示すように、カバープレート４６の正面には、水栓３０の出口部３３を覆う膨出部４７が形成されている。膨出部４７の下部には挿入口４８が形成されており、この挿入口４８を通じて水栓３０の出口部３３への外部からのカプラー９０の接続が許容される。また、膨出部４７の正面には取付口４９が形成されている。この取付口４９を通じて水栓３０の開度変更部３４への外部からのハンドル８０の組み付けが許容される。
【００２５】
カバープレート４６の裏面には、ボックス本体４１の複数の係合凹部４３１にそれぞれ係合される複数の係合爪（図示略）が形成されている。
＜アタッチメント５０＞
図１及び図４に示すように、アタッチメント５０は、ボックス本体４１の下側開口４５に対して背面側から着脱可能に係合される係合部５１と、係合部５１からボックス本体４１の外側に向けて延出された外側カバー部５５と、係合部５１からボックス４０の内側に向けて延出された内側カバー部５６とを有している。
【００２６】
図４に示すように、係合部５１は、ボックス本体４１の下側開口４５の内周縁に沿ったＵ字状の外周面を有する対向部５２と、対向部５２を挟んで設けられるとともに下側開口４５の内周縁に沿った一対のＵ字状の突条５３，５４とを有している。
【００２７】
図５（ｂ）に示すように、ボックス本体４１にアタッチメント５０が組み付けられた状態において、係合部５１の一対の突条５３，５４の間にボックス本体４１の下側開口４５の内周縁が挟まれるとともに、係合部５１の対向部５２が下側開口４５の内周縁に対向する。
【００２８】
図１、図２、図４、及び図５（ａ）に示すように、外側カバー部５５は、配管カバー７０のカバー本体７２の外周形状に沿った内周形状及び外周形状の半割れ角筒状をなしており、配管カバー７０の上端部を正面側から覆っている。外側カバー部５５は、軸線方向全体にわたって同一の断面形状を有している。
【００２９】
図５（ａ）及び図５（ｂ）に示すように、内側カバー部５６は、半割れ長円筒状をなすとともに軸線方向（同図の上下方向）において水栓３０の入口部３２まで延出されており、パイプ６０におけるボックス４０の内部に位置する部分全体を正面側から覆っている。また、内側カバー部５６は先端側ほど縮径されている。
【００３０】
なお、ベースプレート２０、ボックス本体４１、カバープレート４６、アタッチメント５０、及び配管カバー７０はいずれも耐候性の硬質樹脂材料により形成されている。
＜第２実施例＞
図６を参照して、第２実施例の水栓用コンセント（以下、コンセント１１０）について第１実施例との相違点を中心に説明する。
【００３１】
第２実施例では、配管カバー１７０の形状及びアタッチメント１５０の形状が第１実施例と相違している。なお、以降において、第１実施例と同一の構成には同一の符号を付し、対応する構成には、第１実施例の符号「＊＊」に「１００」を加算した符号「１＊＊」を付すことにより、重複する説明を省略する。
【００３２】
＜配管カバー１７０＞
図６に示すように、第２実施例の配管カバー１７０は、半長円筒状をなしている。なお、配管カバー１７０は、外壁面に固定されるカバー基台１７１と、カバー基台１７１に対して着脱可能に設けられてパイプ６０及びカバー基台１７１を覆う半割れ長円筒状のカバー本体１７２とを備えている。
【００３３】
＜アタッチメント１５０＞
アタッチメント１５０は、係合部１５１、外側カバー部１５５、及び内側カバー部１５６を有している。
【００３４】
外側カバー部１５５は、配管カバー１７０のカバー本体１７２の外周形状に沿った内周形状及び外周形状の半割れ長円筒状をなしており、配管カバー１７０の一部を正面側から覆う。外側カバー部１５５は、軸線方向全体にわたって同一の断面形状を有している。
【００３５】
なお、係合部１５１及び内側カバー部１５６は、第１実施例の係合部５１及び内側カバー部５６とそれぞれ同一形状を有している。
＜第３実施例＞
図７及び図８を参照して、第３実施例の水栓用コンセント（以下、コンセント２１０）について、第１実施例との相違点を中心に説明する。
【００３６】
第３実施例では、配管カバー７０が省略されており、配管２６０を露出させた状態で外壁面に設置する点、及びアタッチメント２５０の形状が第１実施例と相違している。なお、以降において、第１実施例と同一の構成には同一の符号を付し、対応する構成には、第１実施例の符号「＊＊」に「２００」を加算した符号「２＊＊」を付すことにより、重複する説明を省略する。
【００３７】
＜配管２６０＞
図７及び図８に示すように、配管２６０は、円筒状をなす樹脂材料製のパイプ本体２６１と、パイプ本体２６１の外周面全周に被せられた断熱用の被覆材２６２とからなる。なお、被覆材２６２は例えばエラストマーや発泡材により形成されている。
【００３８】
＜アタッチメント２５０＞
図７及び図８に示すように、アタッチメント２５０は、係合部２５１、外側カバー部２５５、及び内側カバー部２５６を有している。また、アタッチメント２５０は、外壁面に対向する外側カバー部２５５の両側縁部からそれぞれ延設された一対の固定部２５７を備えている。
【００３９】
外側カバー部２５５は、半割れ円筒状をなしており、配管２６０の一部を正面側から覆っている。外側カバー部２５５の先端部は他の部位に比べて縮径されており、その内周形状は背面側が切り欠かれた略円形状をなしている。すなわち、外側カバー部２５５の先端部の内周形状は配管２６０の外周形状に沿っている。
【００４０】
また、図８（ｂ）に示すように、外側カバー部２５５の内周面には、複数の規制リブ２５９が軸線方向に間隔をおいて、且つ中心軸線を挟んで互いに対向するように突設されている。複数の規制リブ２５９が配管２６０の被覆材２６２の外周面に食い込むことにより、アタッチメント２５０に対する被覆材２６２の変位が規制される。
【００４１】
図７、図８（ａ）及び図８（ｂ）に示すように、一対の固定部２５７には、ガイド穴２５８が形成されている。ガイド穴２５８にねじ（図示略）を挿通するとともに同ねじを外壁面に固定することにより、アタッチメント２５０が外壁面に固定される。
【００４２】
なお、係合部２５１及び内側カバー部２５６は、第１実施例の係合部５１及び内側カバー部５６とそれぞれ同一形状を有している。
次に、本実施形態の作用について説明する。
【００４３】
アタッチメント５０，１５０，２５０がボックス４０に対して着脱可能とされている。このため、第１実施例及び第２実施例のように配管カバー７０，１７０の外周形状に沿った内周形状の外側カバー部５５，１５５を有するアタッチメント５０，１５０をそれぞれ設定することにより、外周形状の異なる複数種類の配管カバー７０，１７０であってもボックス４０を共通化することができる。
【００４４】
また、第３実施例のように配管２６０の外周形状に沿った内周形状の外側カバー部２５５を有するアタッチメント２５０を設定することにより、配管カバー７０を省略して配管２６０を露出させた状態で設置する場合であってもボックス４０を共通化することができる。
【００４５】
以上説明した本実施形態に係る水栓用コンセントによれば、以下に示す効果が得られるようになる。
（１）コンセント１０は、ボックス本体４１の下側開口４５の内周形状に沿った外周形状を有し、下側開口４５に対して着脱可能に係合される係合部５１と、ボックス４０の外側に向けて延出して配管カバー７０を覆う外側カバー部５５とを有するアタッチメント５０とを備えている。
【００４６】
こうした構成によれば、上記作用を奏することにより、外周形状の異なる複数種類の配管カバー７０，１７０であっても、配管２６０を露出させた状態で設定する場合であってもボックス４０を共通化することができる。
【００４７】
また、アタッチメント５０の係合部５１の外周形状がボックス４０の下側開口４５の内周形状に沿っているため、これら下側開口４５の内周面とアタッチメント５０の係合部５１の外周面との間の隙間をほとんどなくすことができる。これにより、アタッチメント５０とボックス４０との間の上記隙間を通じてボックス４０内に紫外線が入り込むことを抑制することができ、紫外線によるパイプ６０などの劣化を抑制することができる。
【００４８】
したがって、配管カバー７０，１７０の外周形状の異なる場合や配管２６０を露出させた状態で設置する場合に容易に対応することができる。
（２）外側カバー部５５の内周形状が配管カバー７０の外周形状に沿っている。このため、外側カバー部５５の内周面と配管カバー７０の外周面との間の隙間を小さくすることができ、同隙間を通じてボックス４０内に紫外線が入り込むことを抑制することができる。このため、紫外線によるパイプ６０などの劣化を抑制することができる。
【００４９】
（３）アタッチメント５０は、ボックス４０の内側に向けて延出してパイプ６０を覆う内側カバー部５６を有している。
こうした構成によれば、ボックス４０の内部に位置するパイプ６０がアタッチメント５０の内側カバー部５６によって覆われるため、例えばカバープレート４６の挿入口４８を通じてボックス４０の内部に入り込んだ紫外線がパイプ６０に当たることを抑制することができ、紫外線によるパイプ６０の劣化を抑制することができる。
【００５０】
（４）ベースプレート２０の正面における第１中心線Ｃ１上には複数の突条２７ａ〜２７ｃが形成され、ベースプレート２０の短手方向Ｘの両端面には切欠溝２８が形成されている。このため、ベースプレート２０を外壁面に固定する際に、外壁面に描かれた墨出し線に突条２７ａ〜２７ｃ及び切欠溝２８をそれぞれ一致させるようにしてベースプレート２０の位置及び姿勢を決めることができる。
【００５１】
（５）ベースプレート２０には、長手方向Ｙに沿って延びる複数の長孔２２と、複数の円孔２３とが形成されている。このため、長孔２２に挿通されたねじを外壁面に対して仮締め状態とすることにより、長手方向Ｙにおけるベースプレート２０の位置調整を行なうことができる。また、円孔２３に挿通されたねじを外壁面に固定することによりベースプレート２０の位置ずれを適切に防止することができる。
【００５２】
（６）ベースプレート２０には逃がし部２６が形成されている。このため、水栓３０の入口部３２に対してパイプ６０や配管２６０を接続する際の作業スペースを確保することができ、パイプ６０や配管２６０の接続作業を容易に行なうことができる。
【００５３】
＜変形例＞
なお、上記実施形態は、例えば以下のように変更することもできる。
・本発明を天井から下方に向けて延びる配管及び同配管の下端部が接続される水栓を収容するコンセントとして具現化することもできる。この場合、下側開口４５に代えて、ボックス本体４１の上側の側壁４２に開口を形成すればよい。
【００５４】
・ベースプレート２０の切欠溝２８に代えて、あるいは加えて、ベースプレート２０の正面における第２中心線Ｃ２上に位置決め用の突条または凹溝を形成することもできる。また、ベースプレート２０の突条２７ａ〜２７ｃに代えて、あるいは加えて、ベースプレート２０の長手方向Ｙの両端面における第１中心線Ｃ１と交わる位置に切欠溝を形成することもできる。
【００５５】
・アタッチメント５０，１５０，２５０の内側カバー部５６，１５６，２５６を省略することもできる。
・アタッチメントの係合部がボックスの第２開口に対して取り外し不能に係合されるものであってもよい。
【００５６】
・水栓は少なくとも全閉と全開との間で開度変更可能なものであればよく、その開度を段階的に変更可能なものであってもよい。
【符号の説明】
【００５７】
１０，１１０，２１０…水栓用コンセント、２０…ベースプレート、２１…突出部、２２…長孔、２３…円孔、２４…取付座、２５…ねじ孔、２６…逃がし部、２７ａ〜２７ｃ…突条、２８…切欠溝、２９…嵌合爪、３０…水栓、３１…水栓本体、３２…入口部、３３…出口部、３４…開度変更部、３５…取付部、３６…挿通孔、３７…ねじ、４０…ボックス、４１…ボックス本体、４２…側壁、４２１…嵌合凹部、４３…前壁、４３１…係合凹部、４４…前側開口、４５…下側開口（第２開口）、４６…カバープレート、４７…膨出部、４８…挿入口（第１開口）、４９…取付口、５０，１５０，２５０…アタッチメント、５１，１５１，２５１…係合部、５２，１５２，２５２…対向部、５３，５４，１５３，１５４，２５３，２５４…突条、５５，１５５，２５５…外側カバー部、５６，１５６，２５５…内側カバー部、６０…パイプ、７０，１７０…配管カバー、７１，１７１…カバー基台、７１１…保持部、７２，１７２…カバー本体、８０…ハンドル、９０…カプラー、２５７…固定部、２５８…ガイド穴、２６０…配管、２６１…配管本体、２６２…被覆材。
【図１】
2020114987.tif 000003
【図２】
2020114987.tif 000004
【図３】
2020114987.tif 000005
【図４】
2020114987.tif 000006
【図５】
2020114987.tif 000007
【図６】
2020114987.tif 000008
【図７】
2020114987.tif 000009
【図８】
2020114987.tif 000010